【事件の表示】
　特願２０１５−９４８２「スピーカ及びスピーカユニット」拒絶査定不服審判事件〔平成２８年７月２５日出願公開、特開２０１６−１３４８３６〕について、次のとおり審決する。
【結　論】
　本件審判の請求は、成り立たない。
【理　由】
第１　手続の経緯
　本願は、平成２７年１月２１日の出願であって、平成２８年２月１６日付けで拒絶理由が通知され、同年４月２６日付けで手続補正がなされたが、同年９月５日付けで拒絶査定がなされ、これに対して、同年１２月９日に拒絶査定不服の審判が請求され、同時に手続補正がなされたものである。
　その後、当審において平成２９年８月３１日付けで拒絶理由を通知し、期間を指定して意見書を提出する機会を与えたが、請求人からは何らの応答もなされなかったものである。
第２　本願発明
　本願の請求項１ないし１０に係る発明は、平成２８年１２月９日付けの手続補正により補正された特許請求の範囲に記載された事項により特定されるものであるところ、請求項１に係る発明（以下、「本願発明１」という。）は次のとおりのものである。
「【請求項１】
　凹状の内周縁を備えた筐体に装着されるスピーカユニットにおいて、
　上半部に開口が形成された支持フレームと、
　前記支持フレームの開口に位置するダイヤフラムと、
　前記ダイヤフラムの周縁と前記支持フレームの開口の周縁との間に接続される第１のインナーエッジ及び前記第１のインナーエッジの下方に貼着された第２のインナーエッジを含むダブルインナーエッジ構造と、
　前記支持フレームの下半部に設けられるマグネット部材と、
　前記ダイヤフラムの底部に位置すると共に前記マグネット部材と作用するボイスコイルと、
　一方の端縁が前記支持フレームの外周縁に接続され、他方の端縁が前記筐体の凹状の前記内周縁内に嵌めるように架設されるダブルエッジ構造と、
　を含むことを特徴とするスピーカユニット。」
第３　当審において通知した拒絶の理由の概要
　当審において平成２９年８月３１日付けで通知した拒絶理由の概要は、次のとおりである。
　本願の請求項１ないし１０に係る発明は、その出願前日本国内または外国において頒布された下記の引用文献１に記載された発明及び引用文献２に記載された技術事項並びに周知技術に基いて、その出願前にその発明の属する技術の分野における通常の知識を有する者が容易に発明をすることができたものであるから、特許法第２９条第２項の規定により特許を受けることができない。
　　　　　　　　　　　　　　　記
１．米国特許出願公開第２０１３／０１９５３１１号明細書 
２．特開２００７−３２５０９３号公報 
３．特開昭６０−１８５４９３号公報 
４．特開昭６０−１８５４９４号公報 
第４　引用発明等
１．引用文献１
　当審の拒絶理由に引用された引用文献１（米国特許出願公開第２０１３／０１９５３１１号明細書）には、図面とともに次の事項が記載されている。（なお、下線は当審で付与した。また、（）内は、当審において作成した仮訳である。）
（１）「[0084] 
In FIG. 7A there is shown a vertical cross-sectional slice of an exploded view of a flat frame speaker 60. Frame 61 has defined therein a central region for receiving speaker motor 82 and extending horizontally outward substantially perpendicularly from the central region is frame side portion 62 with vent holes 63 therethrough spaced evenly around the central region in the full frame.
The outer surrounding edge of side portion 62 of frame 61 includes a raised outer lip 80 defining a vertical surface 81.
[0085] 
Motor 82 includes a cup shaped bottom ferro-magnetic plate 64 into which there is a magnet 66 having a diameter that is smaller than the inner diameter of bottom plate 64.
On top of magnet 66 there is top ferro-magnetic plate 68 
Extending into the space between top plate 68 and the side of bottom plate 64 is bobbin 70 having a voice coil 72 wound externally around bobbin 70.
[0086] 
Above frame 61 and motor 82 is a rigid connection element 74 which will be discussed when FIG. 7B is addressed, and above rigid connection element 74 there is a speaker cone 76 with an inner end of surround 78 attached to the outer edge of speaker cone 76.
[0087] I
n FIG. 7B there is shown a vertical cross-sectional slice of fully assembled view of the flat frame speaker 60 of FIG. 7A. In this view the outer end of surround 78 is attached to vertical surface 81 of frame 61. Additionally, rigid connection element 74 has the inner end attached to the upper edge of bobbin 70 and the outer end attached to the bottom of cone 76 at or near the interconnection of cone 76 and surround 78.
（[0084] 
図７Ａには、フラットフレームスピーカ６０の分解図の垂直断面図が示されている。フレーム６１は、スピーカーモータ８２を収容するための中心領域をその中に規定し、その中心領域から水平に外に向かって実質的に直立して広がるのが、フレーム全体において中心領域の周囲に均等に間隔をあけられた通気孔６３を有するフレーム側部６２である。
フレーム６１の側部６２の外周縁は、垂直面部８１を規定する一段高くした外側縁８０を含んでいる。
[0085] 
モータ８２は、カップ状の底部強磁性体プレート６４を含んでおり、底部プレート６４の内径よりも小さい直径の磁石６６がその中にある。
磁石６６の上には頂部強磁性体プレート６８があり
頂部プレート６８と底部プレート６４の側面との間の空間に、外周にボイスコイル７２が巻かれたボビン７０が延びている。
[0086] 
フレーム６１とモータ８２の上方には、図７Ｂの説明で論じられる剛性連結要素７４があり、剛性連結要素７４の上方には、スピーカーコーン７６があり、スピーカーコーン７６の外縁にサラウンド７８の内側端が取り付けられている。
[0087] 
図７Ｂには、図７Ａのフラットフレームスピーカ６０の組立完成図の垂直断面図が示されている。この図では、サラウンド７８の外側端はフレーム６１の垂直面部８１に取り付けられている。さらに、剛性結合要素７４は、ボビン７０の上縁に取り付けられる内側端と、コーン７６とサラウンド７８の相互連結部あるいはその近くで、コーン７６の底部に取り付けられる外側端とを有している。
（２）「[0090] 
FIG. 8A illustrates a first example of a coaxial acoustic radiator in an ear cup 84 of a headset. In this view a flat frame speaker 60 of FIGS. 7A and B is suspended in the opening of ear cup 84 with a flexible membrane 48 as in the coaxial speaker-passive radiator of FIG. 2A.
[0091] 
FIG. 8B illustrates a second example of a coaxial acoustic radiator in an ear cup 84 of a headset that is similar to that shown in FIG. 8A with a symmetrical flexible membrane 48 - 48’ (one outward curved and one inward curved).
（[0090] 
図８Ａは、ヘッドセットのイヤーカップ８４における同軸音響ラジエーターの第１の例を示している。この図において、図７Ａ及びＢのフラットフレームスピーカ６０は、図２Ａの同軸スピーカ／パッシブラジエーターと同様に、イヤーカップ８４の開口部に可撓性膜４８を用いて架けられている。
[0091] 
図８Ｂは、図８Ａに示されるものに類似した、ヘッドセットのイヤーカップ８４における同軸音響ラジエーターの第２の例を示しており、対称性を有する可撓性膜４８−４８' （１つは外に向かって曲がり、１つは内に向かって曲がっている）を用いている。
　上記（１）は、図７Ａ及び図７Ｂに示されるフラットフレームスピーカ（flat frame speaker）６０についての記載であり、その[0084]の記載によれば、前記フラットフレームスピーカ６０はフレーム（frame）６１を含み、前記フレーム６１は、中心領域（central region）とフレーム側部（frame side portion）６２とを含む。そして、前記フレーム側部６２は、垂直面部（vertical surface）８１と外側縁（outer lip）８０とを含んでいる。また、図７Ａの記載からみて、前記フレーム６１は、その上半部に開口が形成されている。
  また、上記（１）の[0084]の記載によれば、前記フレーム６１の前記中心領域には、スピーカーモータ（speaker motor）８２が収容されており、[0085]によれば、前記スピーカーモータ８２には、カップ状の底部強磁性体プレート（cup shaped bottom ferro-magnetic plate）６４、磁石（magnet）６６、及び頂部強磁性体プレート（top ferro-magnetic plate）６８が含まれている。そして、図７Ａ及びＢの記載を参酌すると、前記磁石６６は、前記フレーム６１の中心領域にある凹部に収納されているから、前記磁石６６は、前記フレーム６１の下半部に設けられているということができる。
　そして、上記（１）の[0085]の記載によれば、前記頂部強磁性体プレート６８と前記底部強磁性体プレートの側面との間の空間にボビン（bobbin）７０が延びており、前記ボビン７０の外周にはボイスコイル（voice coil）７２が巻かれている。そして、前記ボイスコイル７２が前記磁石６６と作用するものであることはスピーカ分野における技術常識である。
　また、上記（１）の[0086]の記載によれば、前記フレーム６１の上方にはスピーカーコーン（speaker cone）７６があり、図７Ｂの記載を参酌すると、前記スピーカーコーン７６は前記フレーム６１の開口に位置しているということができる。そして、上記（１）の[0086]及び[0087]によれば、サラウンド（surround）７８が、前記スピーカーコーン７６の外縁と前記フレーム６１の前記垂直面部８１とに取り付けられている。また、前記スピーカーコーン７６の底部には剛性結合要素（rigid connection element）７４によって前記ボビン７０が取り付けられており、図７Ｂの記載も勘案すると、前記ボビン７０に巻かれた前記ボイスコイル７２は前記スピーカーコーン７６の底部に位置しているということができる。
　さらに、上記（２）の[0090]及び[0091]によれば、図７Ａ及びＢに示されるフラットフレームスピーカ６０は、対称性を有する可撓性膜４８−４８’（flexible membrane）（一方は外に向かって湾曲し、他方は内に向かって湾曲している）によってヘッドセット（headset）のイヤーカップ（ear cup）８４の開口部（opening）に架けられている。そして、図８Ｂの記載を参酌すると、前記対称性を有する可撓性膜４８−４８’の内側の端縁は、前記フレーム６１の外周縁に取り付けられており、外側の端縁は、前記イヤーカップ８４の内周縁に取り付けられている。
　したがって、上記（１）及び（２）の記載事項並びに図面の記載を総合勘案すると、引用文献１には、次の発明（以下、「引用発明」という。）が記載されている。
「ヘッドセットのイヤーカップ８４の開口部に掛けられるフラットフレームスピーカ６０において、
  上半部に開口を有するフレーム６１と、
  前記フレーム６１の開口に位置するスピーカーコーン７６と、
  前記スピーカーコーン７６の外縁と前記フレーム６１の垂直面部８１とに取り付けられるサラウンド７８と、
  前記フレーム６１の下半部に設けられる磁石６６と、
  前記スピーカーコーン７６の底部に位置するとともに、前記磁石６６と作用するボイスコイル７２と、
  内側の端縁が前記フレーム６１の外周縁に取り付けられ、外側の端縁が前記イヤーカップ８４の内周縁に取り付けられる対称性を有する可撓性膜４８−４８’であって、その一方は外に向かって湾曲し、その他方は内に向かって湾曲している可撓性膜４８−４８’と、
  を含むフラットフレームスピーカ６０。」
２．引用文献２
　当審の拒絶理由に引用された引用文献２（特開２００７−３２５０９３号公報）には、図面とともに次の事項が記載されている。（なお、下線は当審で付与した。）
（３）「【０００２】
　一般に、振動板の外周をスピーカ軸方向に変位可能にスピーカフレームに接続するスピーカエッジとして、下記特許文献１に記載の形態のものが、普及している。
 このスピーカエッジは、
所謂ロールエッジと呼ばれているもので、
緩衝部が振動板の振幅方向前方に向かって凸の湾曲形状（ロール形状）に成形されている
【０００３】
　ところが、このような
ロールエッジは、その構造上、
非線形の変位特性を示す
この変位特性が、音響的な歪みを残す原因となる
（４）「【０００４】
　そこで、このような不都合を解消するべく、図１に示す構造のスピーカエッジが提案されている。
　このスピーカエッジ１は、下記特許文献２に記載されたもので、
振動板の振幅方向の前後から貼り合わせた一対のエッジ半体２，３から形成されている
　各エッジ半体２，３は、振動板の外周に接合される振動板側フランジ４を構成する内周フランジ部２ａ，３ａと、振動板側フランジ４の外周に連接されて振動板の振動を制振する緩衝部５を構成する円弧部２ｂ，３ｂと、緩衝部５の外周から張り出してスピーカフレームに接合されるフレーム側フランジ６を構成する外周フランジ部２ｃ，３ｃと、を備えた構造であり、互いのフランジ部を貼着することにより一体化されている。
【０００５】
　各エッジ半体２，３は、略対称構造である。即ち、それぞれの円弧部２ｂ，３ｂは、互いに逆向きに凸の半円状に成形されており、一体化することで、振動板の振幅方向（図１では、矢印Ａ方向）に対称構造となる円管状の緩衝部５を形成している。」
（５）「【０００７】
　図１に示したスピーカエッジ１では、
緩衝部５が振動板の振幅方向に対称構造になっているため、
音響的な歪みの低減を図ることができる
　上記（３）の記載によれば、緩衝部が振動板の振幅方向前方に向かって凸の湾曲形状（ロール形状）に成形されているロールエッジは、その構造上、非線形の変位特性を示し、音響的な歪みを残す原因となる。
　そして、上記（４）及び（５）の記載によれば、振動板の振幅方向の前後から貼り合わせた一対のエッジ半体２，３から形成されたスピーカエッジ１では、緩衝部５が振動板の振幅方向に対称構造になっているため、音響的な歪みの低減を図ることができる。
　したがって、上記（３）ないし（５）の記載事項並びに図面の記載を総合勘案すると、引用文献２には、次の技術事項が記載されている。
「スピーカエッジの音響的な歪みの低減を図るために、スピーカエッジを、振動板の振幅方向の前後から貼り合わせた一対のエッジ半体から形成された対称構造とすること。」
第５　対比・判断
１．対比
  本願発明１と引用発明とを対比する。
（１）引用発明の「フラットフレームスピーカ６０」は、本願発明１の「スピーカユニット」に相当するとともに、ヘッドセットの「筐体」である「イヤーカップ８４」に架けられることからみて「筐体に装着される」ものであるといえる。
（２）引用発明の「スピーカーコーン７６」は、本願発明１の「ダイヤフラム」に相当する。また、引用発明の「フレーム６１」は、スピーカーコーン７６を「支持している」ということができるから、本願発明１の「支持フレーム」に相当する。
（３）引用発明における「スピーカーコーン７６の外縁」及び「フレーム６１の垂直面部８１」は、本願発明１における「ダイヤフラムの周縁」及び「支持フレームの開口の周縁」にそれぞれ相当するから、本願発明１の「第１のインナーエッジ」と引用発明の「サラウンド７８」は、「ダイヤフラムの周縁と支持フレームの開口の周縁との間に接続される」点で共通する。ただし、引用発明の「サラウンド７８」には、その下方に「第２のインナーエッジ」が貼着されておらず、「ダブルインナーエッジ構造」ではない点で本願発明１と相違する。
（４）引用発明の「磁石６６」及び「ボイスコイル７２」は、本願発明１の「マグネット部材」及び「ボイスコイル」にそれぞれ相当する。
（５）引用発明の「可撓性膜４８−４８’」は、一方（内側）の端縁が支持フレーム（フレーム６１）の外周縁に接続され、他方（外側）の端縁が筐体（イヤーカップ８４）の内周縁に接続されており、かつ、一方は外に向かって湾曲し、他方は内に向かって湾曲しているという対称性を有しているから、「ダブルエッジ構造」であるということができる。ただし、本願発明１においては、ダブルエッジ構造の「他方の端縁が前記筐体の凹状の前記内周縁内に嵌めるように架設される」のに対して、引用発明においては、ダブルエッジ構造の他方（外側）の端縁を筐体（イヤーカップ８４）の内周縁にどのように接続するかは特定されていない。
  そうすると、本願発明１と引用発明の一致点、相違点は次のとおりである。
（一致点）
　凹状の内周縁を備えた筐体に装着されるスピーカユニットにおいて、
　上半部に開口が形成された支持フレームと、
　前記支持フレームの開口に位置するダイヤフラムと、
　前記ダイヤフラムの周縁と前記支持フレームの開口の周縁との間に接続される第１のインナーエッジと、
　前記支持フレームの下半部に設けられるマグネット部材と、
　前記ダイヤフラムの底部に位置すると共に前記マグネット部材と作用するボイスコイルと、
　一方の端縁が前記支持フレームの外周縁に接続され、他方の端縁が前記筐体の内周縁に接続されるダブルエッジ構造と、
　を含むことを特徴とするスピーカユニット。
（相違点１）
　ダイヤフラムの周縁と支持フレームの開口の周縁との間に、本願発明１は、「第１のインナーエッジ及び前記第１のインナーエッジの下方に貼着された第２のインナーエッジを含むダブルインナーエッジ構造」が接続されるのに対し、引用発明は、第１のインナーエッジのみが接続されている点。
（相違点２）
　本願発明１では、筐体は「凹状の内周縁」を備えるとともに、ダブルエッジ構造の他方の端縁が「前記筐体の凹状の前記内周縁内に嵌めるように架設される」のに対して、引用発明においては、ダブルエッジ構造の他方の端縁を筐体にどのように接続するかは特定されていない点。
２．判断
（１）相違点１について
　引用発明のサラウンド７８は、引用文献１の図７Ａ及びＢに記載されているように、スピーカーコーン７６の振幅方向である外側に向かって湾曲しているから、引用文献２に記載の「ロールエッジ」（上記「第４」の「２（３）」参照。）と同様に、音響的な歪みを残すという技術課題が内在することは明らかである。
　したがって、そのような技術課題を解決するために、引用発明１において引用文献２に記載の対称構造を採用することによって、すなわち、外に向かって湾曲したサラウンド７８（第１のインナーエッジ）の下方に、内に向かって湾曲した別のサラウンド（第２のインナーエッジ）を貼り合わせることで、本願発明１と同様のダブルインナーエッジ構造とすることは、当業者が適宜なし得ることである。
（２）相違点２について
　スピーカの分野において、エッジを他の部材に架設する際に、エッジが架設される前記部材に「凹状の内周縁」を備えるようにするとともに、前記エッジの端縁を前記凹状の内周縁に嵌めるようにすることは周知技術にすぎない（例えば、前記引用文献２の【００２３】及び図２（特に、スピーカエッジ２１のフレーム側フランジ３３とスピーカフレーム１７のエッジ支持部１７ａとの接合部分）、当審の拒絶理由に引用された引用文献３（特開昭６０−１８５４９３号公報）の第２頁左下欄第１ないし４行目並びに第２図、当審の拒絶理由に引用された引用文献４（特開昭６０−１８５４９４号公報）の第２頁左下欄第２ないし４行目並びに第２図、をそれぞれ参照のこと。）から、引用発明において、筐体（イヤーカップ８４）とダブルエッジ構造（対称性を有する可撓性膜４８-４８’）を接続する際に、前記周知技術を採用することは、当業者にとって格別の技術的困難性を伴うことではない。
（３）本願発明１の効果について
　本願発明１の奏する作用効果は、引用発明及び引用文献２に記載された技術事項並びに周知技術の奏する作用効果から予測される範囲内のものに過ぎず、格別顕著なものということはできない。
３．まとめ
　以上のとおり、本願発明１は、引用発明及び引用文献２に記載された技術事項並びに周知技術に基づいて当業者が容易に発明をすることができたものである。
第６　むすび 
　以上のとおり、本願の請求項１に係る発明は、引用文献１に記載された引用発明及び引用文献２に記載された技術事項並びに周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。